(57)【要約】【課題】  本発明は、極めて商品価値の高い画期的な埋設管用の敷設部材及び法面用の敷設部材を提供することを目的とする。【解決手段】  埋設管１の下部に敷設する敷設部材２であって、通水性を有する袋体３内に所定径を有する粒体４が詰入されたもので、この袋体３はシート上に前記粒体４を配設し、前記シートの両端を内側へ折り畳むことで構成されるものである。【選択図】      図２
2004211901.tif 000002
【特許請求の範囲】
【請求項１】
埋設管の下部に敷設する敷設部材であって、通水性を有する袋体内に所定径を有する粒体が詰入されたもので、この袋体はシート上に前記粒体を配設し、前記シートの両端を内側へ折り畳むことで構成されるものであることを特徴とする埋設管用の敷設部材。
【請求項２】
法面に敷設する敷設部材であって、通水性を有する袋体内に所定径の粒体が詰入されていることを特徴とする法面用の敷設部材。
【請求項３】
請求項２記載の法面用の敷設部材において、前記粒体として砂を採用したことを特徴とする法面用の敷設部材。
【請求項４】
請求項３記載の法面用の敷設部材において、前記袋体の表面には袋体の透水係数及び袋体内に詰入される砂の透水係数を表示する表示部が設けられていることを特徴とする法面用の敷設部材。
【発明の詳細な説明】
【技術分野】
【０００１】
本発明は、埋設管用の敷設部材及び法面用の敷設部材に関するものである。
【背景技術】
【０００２】
従来から、水道管やガス管などの埋設管の埋設作業は、地面を掘削して凹溝を形成し、この凹溝に埋設管を配設して埋め戻す、という工程を経て行われる。
【０００３】
ところで、この埋設管を埋め戻す際には、一般的に埋設管の周囲には砂が配設され、この砂は埋設管の高さ調整を行う為に使用されたり、埋設管を支持するクッション材として機能せしめられている。
【発明の開示】
【発明が解決しようとする課題】
【０００４】
しかしながら、この砂、特に埋設管１の下方部位の砂は、施工後、時間が経つにつれ、雨水や地下水などの流水によって流されてしまい（これは、軟弱な土から成る埋め戻し部分に比し、地面を掘削して形成した（締め固まった）部分である凹溝が雨水や地下水が流れる水路のようになる為である。）、この埋設管１を支持する砂が流されることで埋設管１の周囲に空洞ができ、よって、この空洞が原因となって路盤（例えばアスファルト）が陥没したり、埋設管１を支持するものが無くなり埋設管１が破損したりするなどの問題が起きている。
【０００５】
本出願人は、上述の問題点に鑑み、極めて商品価値の高い画期的な本発明を完成した。
【課題を解決するための手段】
【０００６】
添付図面を参照して本発明の要旨を説明する。
【０００７】
埋設管１の下部に敷設する敷設部材２であって、通水性を有する袋体３内に所定径を有する粒体４が詰入されたもので、この袋体３はシート上に前記粒体４を配設し、前記シートの両端を内側へ折り畳むことで構成されるものであることを特徴とする埋設管用の敷設部材に係るものである。
【０００８】
また、法面に敷設する敷設部材２であって、通水性を有する袋体３内に所定径の粒体４が詰入されていることを特徴とする法面用の敷設部材に係るものである。
【０００９】
また、請求項２記載の法面用の敷設部材において、前記粒体４として砂４を採用したことを特徴とする法面用の敷設部材に係るものである。
【００１０】
また、請求項３記載の法面用の敷設部材において、前記袋体３の表面には袋体３の透水係数及び袋体３内に詰入される砂４の透水係数を表示する表示部７が設けられていることを特徴とする法面用の敷設部材に係るものである。
【発明の効果】
【００１１】
本発明は上述のように構成したから、極めて商品価値の高い画期的な埋設管用の敷設部材及び法面用の敷設部材となる。
【発明を実施するための最良の形態】
【００１２】
好適と考える本発明の実施形態（発明をどのように実施するか）を、図面に基づいて本発明の作用を示して簡単に説明する。
【００１３】
本発明は、埋設管１を埋設するに際し、例えば地面に埋設管１を配設する為の凹溝５ａを掘削し、続いて、この凹溝５ａに敷設部材２を敷設し、続いて、この敷設部材２の上に埋設管１を配設し、続いて、埋設管１を埋め戻して作業は完了する。
【００１４】
その後、この埋設管１を配設した凹溝５ａに雨水や地下水などが流れた際には、この流水は敷設部材２を通過することになり、この際、粒体４は袋体３で保持され流されることはない為、従来のように埋設管１の周辺に空洞が生じることはない。
【００１５】
よって、本発明によれば、敷設部材２が雨水や地下水などの流水を積極的に通過させ、且つ、埋設管１を安定的に支持する為の粒体４が袋体３内に確実に保持される構成の為、従来のように埋設管１の周囲に空洞が生じることはなく、地面に陥没が起きたり、埋設管１が破損してしまうことは確実に防止され、しかも、この敷設部材２が埋設管１の高さ調整にも使用でき、更に、クッション材としての機能も十分発揮し、更に、軟弱地盤であっても常に良好な状態で埋設管１を安定的に支持することになり、また、粒体４が袋体３内に詰入されている為、取り扱いが極めて良好であり埋設管１の埋設作業性も飛躍的に向上することになるなど極めて商品価値の高い画期的な埋設管用の敷設部材となる。
【実施例１】
【００１６】
図１〜３は本発明の第一実施例を図示したものであり、以下に説明する。
【００１７】
符号１は水道管やガス管などの地中に埋設される埋設管、５ａは地面５に掘削形成され、埋設管１を配設する為の凹溝である。
【００１８】
第一実施例について説明する。
【００１９】
第一実施例は、地面５に掘削される凹溝５ａに配設される埋設管１の下部に敷設する為の敷設部材２を設けたものである。
【００２０】
以下、本実施例に係る構成各部について詳細な説明をする。
【００２１】
敷設部材２は、袋体３と、この袋体３内に詰入される粒体４とで構成されている。尚、本実施例では、敷設部材２を土嚢のような大きさに構成しているが、埋設管１と同じくらいの長さの細長い袋体３内に粒体４を構成するなど、その大きさは適宜設計変更し得るものである。
【００２２】
袋体３は、図１に図示したように適宜な通水性を備えた生地（旭化成工業（株）製の「商品名：パブリックシート」）を袋状に形成したものであり、その一側には粒体４を詰入する為の開口部３ａが設けられ、この開口部３ａには適宜な合成樹脂製のファスナー６が設けられている。
【００２３】
また、この袋体３の通水性は、適当量の水を通し且つ後述する粒体４が流れ出ない程度の大きさの隙間を備えた生地で構成されている。
【００２４】
また、この袋体３は、その表面に該袋体３の透水係数及び袋体３内に詰入される粒体４の透水係数を表示する表示部７が設けられている。
【００２５】
従って、作業者はこの表示部７を見ることで、この敷設部材２が、どのような場所で、どのような用途で、どのような使用形態で使用したら良いかなどの情報を簡易に得られることになる。
【００２６】
粒体４は、図１に図示したように所定径を備えた砂が採用されている。尚、径の異なる種々のサイズの砂４を一つの袋体３に混ぜて詰入しても良く、また、砂４の他にも本実施例の特性を発揮し得る粒体等であれば適宜採用し得るものである。
【００２７】
以上の構成からなる敷設部材２は適度な通水性を備えており、この通水性は透水係数で表され、袋体３内に砂４を所定量詰入した際、透水係数が１．０５×１０-1〜１．０５×１０-4ｃｍ／ｓｅｃ程度となるように設定されることが望ましい。
【００２８】
従って、袋体３及び砂４によって敷設部材２の通水量を適宜可変し得るものである。
【００２９】
尚、本実施例に係る敷設部材２は、袋体３に砂４を詰入した構成のものが採用され、予め工場などで製造して現場へ持ち込むという場合を例にして説明したが、例えば凹溝５ａに通水性を有するシートを敷き、このシートに砂４を配設し、この状態でシートの両端を内側へ折り畳むことで砂４を包む等、その場で敷設部材２を構成するようにしても良いのは勿論である。
【００３０】
本実施例は上述のように構成したから、埋設管１を埋設するに際し、常法に従い、地面に埋設管１を配設する為の凹溝５ａを掘削し、続いて、この凹溝５ａに敷設部材２を敷設し、続いて、この敷設部材２の上に埋設管１を配設し、続いて、埋設管１を土や砂利などで埋め戻して作業は完了する。尚、用途によって通水性の異なる敷設部材２を敷設するものである。
【００３１】
その後、この埋設管１を配設した凹溝５ａに雨水や地下水などが流れた際には、この流水は敷設部材２内（袋体３及び砂４同志間）を通過し、この際、砂４は袋体３で保持され流されることはない為、従来のように埋設管１の周辺に空洞が生じることはない。
【００３２】
符号８は路盤（アスファルト）である。
【００３３】
よって、本実施例によれば、敷設部材２が雨水や地下水などの流水を積極的に通過させ、且つ、埋設管１を安定的に支持する為の粒体４が袋体３内に確実に保持される構成の為、従来のように埋設管１の周囲に空洞が生じることはないから、地面５に陥没が起きたり、埋設管１が破損してしまうことは確実に防止され、しかも、この敷設部材２が埋設管１の高さ調整にも使用でき、更に、クッション材としての機能も十分発揮し、更に、軟弱地盤であっても常に良好な状態で埋設管１を安定的に支持することになり、また、粒体４が袋体３内に詰入されている為、取り扱いが極めて良好であり埋設管１の埋設作業性も飛躍的に向上することになる。
【００３４】
また、本実施例は、粒体４として砂４を採用したから、敷設部材２の製造コストが安く、そして、量産性にも秀れることになる。
【００３５】
また、本実施例は、図３に図示したように埋設管１の上部にも敷設部材２を配設する場合もあり、この埋設管１の上部に配設された敷設部材２に電波（電磁波）、音波、磁気などの信号を発したり、或いは、地上から発する信号を加工して別の信号として発する機能を具備せしめ、地上にて検知機などで地下に埋設される埋設管１の種類、埋設管１の径、埋設深さ、などの地下の埋設管情報を検知し得るように構成しても良い。
【実施例２】
【００３６】
図４は本発明の第二実施例を図示したものであり、以下に説明する。
【００３７】
第二実施例について説明する。
【００３８】
第二実施例は、図４に図示したように袋体２の巾寸法を埋設管１の巾Ｓ１よりも広い所定巾Ｓ２となるように設定しており、凹溝５ａに配設された敷設部材２の上に埋設管１を載置した際、この埋設管１の左右部位から突出する部分が足場となり作業者が移動する通路として機能するように構成した場合である。
【００３９】
従って、本実施例は、特にぬかるむ凹溝５ａ内の移動が何ら支障なく行えることになり良好な埋設管１の埋設作業が行えることになる。
【００４０】
その余は第一実施例と同様である。
【実施例３】
【００４１】
図５は本発明の第三実施例を図示したものであり、以下に説明する。
【００４２】
第三実施例について説明する。
【００４３】
第三実施例は、図５に図示したように敷設部材２を例えば海や河川や湖などの法面９に敷設した場合である。
【００４４】
従って、本実施例は、水（波）を受け止めて法面９を水の侵食から保護する機能を発揮するとともに、例えば河川の水と地中の水とを積極的に通すことで決壊などが起きるのを可及的に防止し得ることになる。
【００４５】
即ち、例えば河川の法面９が決壊する理由として、従来の土嚢では水を遮断して地中に水が溜まり水分許容量を超えた場合、崩れて決壊してしまうが、本実施例は、敷設部材２が水を自由に通過させ、且つ、敷設部材２内の砂４及び土砂が流れでないように保持し、そして、水の勢いを受け止める緩衝作用を発揮する構造故に、図５に図示したように河川の水Ｗ１と地中の水Ｗ２とを通過（行き来）させることで、地中に許容量以上の水が溜まることはなく、よって、法面９に決壊などが起きることを可及的に防止し得ることになる。
【００４６】
その余は第一実施例と同様である。
【実施例４】
【００４７】
図６は本発明の第四実施例を図示したものであり、以下に説明する。
【００４８】
第四実施例について説明する。
【００４９】
第四実施例は、図６に図示したように敷設部材２を例えば山や道路脇の法面９に敷設した場合である。
【００５０】
従って、本実施例は、例えば地中の水を積極的に通すことで地中に許容量以上の水が溜まることはなく、よって、法面９が崩れたりするのを可及的に防止し得ることになる。
【００５１】
その余は第一実施例と同様である。
【図面の簡単な説明】
【００５２】
【図１】第一実施例に係る敷設部材を示す斜視図である。
【図２】第一実施例を示す正断面図である。
【図３】別実施例を示す正断面図である。
【図４】第二実施例を示す正断面図である。
【図５】第三実施例を示す側断面図である。
【図６】第四実施例を示す側断面図である。
【符号の説明】
【００５３】
１  埋設管
２  敷設部材
３  袋体
４  粒体・砂
７  表示部
【図１】
2004211901.tif 000003
【図２】
2004211901.tif 000004
【図３】
2004211901.tif 000005
【図４】
2004211901.tif 000006
【図５】
2004211901.tif 000007
【図６】
2004211901.tif 000008